(57)【要約】【課題】    耳あて部を単独で耳に装着できると共に、耳を挟む挟持力の強さを調節できるようにしたことにより、装着時のフィット感に優れたアームレス構造のイヤーマフ装置を提供すること。【解決手段】    イヤーマフが、椀型形状に形成されたイヤーマフ本体１０と、イヤーマフ本体１０に一対で設けられたクリップ部材３０と、イヤーマフ本体１０の外周部を被覆する保温布地４０とからなる。クリップ部材３０は、クリップ主体３０１とクリップ摘み部３０２を有しており、自己のクリップ主体３０１とクリップ摘み部３０２との間に相手方のクリップ主体３０１が位置する関係で組立てられ、クリップ摘み部３０２が互いに遠ざかり、クリップ主体３０１が互いに近づく方向にコイルバネ３０３の弾性力によって付勢されている。クリップ主体３０１は、先端の互いに向かい合う部分に弾性資材のクッション材３０４を設けている。【選択図】    図４
2005329042.tif 000002
【特許請求の範囲】
【請求項１】
椀型形状に形成されたイヤーマフ本体（１０）と、該イヤーマフ本体に一対で設けられたクリップ部材（３０）と、上記イヤーマフ本体の外周部を被覆する保温布地（４０）とからなり、上記クリップ部材は、クリップ主体（３０１）とクリップ摘み部（３０２）を有しており、当該クリップ部材は、自己のクリップ主体とクリップ摘み部との間に相手方のクリップ主体が位置する関係で組立てられ、該クリップ摘み部が互いに遠ざかると共に該クリップ主体が互いに近づく方向に弾性力によって付勢されていることを特徴とするイヤーマフ装置。
【請求項２】
クリップ部材（３０）は、断面形状がＬ字形を呈しており、立上部分をクリップ主体（３０１）に形成し、水平部分をスライド部（３０５）に形成して該スライド部の先端をクリップ摘み部（３０２）に形成したものであって、該スライド部は、クリップ主体の幅の半分の幅となる切欠き（３０６）を形成し、当該切欠きを互いに摺動自在に接合して自己のクリップ主体とクリップ摘み部との間に相手方のクリップ主体を位置させたことを特徴とする請求項１に記載のイヤーマフ装置。
【請求項３】
クリップ部材（３０）は、スライド部（３０５）とクリップ摘み部（３０２）との境界部分に係合段差（３０７）を設け、該各係合段差によって形成される空間部分にコイルバネ（３０３）を装着したことを特徴とする請求項２に記載のイヤーマフ装置。
【請求項４】
クリップ部材（３０）は、スライド部（３０５）とクリップ摘み部（３０２）との境界部に係合突部（３０８）が設けられ、該各係合突部の外側に調整リング（３２０）が嵌合されており、該調整リングのリング内側には高さが異なる複数の調整突起（３２１）を形成し、上記調整リングを回動して上記係合突部と係合する調整突起の高さを変更することによって上記クリップ部材の隙間を調整することを特徴とする請求項２又は３に記載のイヤーマフ装置。
【請求項５】
調整リング（３２０）は、調整レバー（３２２）が設けられていることを特徴とする請求項４に記載のイヤーマフ装置。
【請求項６】
クリップ部材（３０）は、クリップ主体（３０１）をイヤーマフ本体（１０）の底部に設けた本体窓孔（１０２）から該イヤーマフ本体内に挿入し、クリップ摘み部（３０２）を該イヤーマフ本体の外へ突出し、当該イヤーマフ本体の外に設けられた部分をキャップ部材（２０）で固定されていることを特徴とする請求項１から５のいずれかに記載のイヤーマフ装置。
【請求項７】
キャップ部材（２０）は、キャップ縁壁にクリップ部材のクリップ摘み部（３０２）が突出する開放切欠き（２０２）を設け、該開放切欠きの間に調整リングの調整レバー（３２２）が突出するレバー突出窪み（２０３）を設け、該開放切欠きからクリップ主体の上記クリップ摘み部を突出し、該レバー突出窪から上記調整レバーを突出してイヤーマフ本体（１０）に固定したことを特徴とする請求項６に記載のイヤーマフ装置。
【請求項８】
クリップ部材（３０）は、クリップ主体（３０１）の先端の対向する面にクッション材（３０４）が設けられていることを特徴とする請求項１から７のいずれかに記載のイヤーマフ装置。
【請求項９】
保温布地（４０）は、断面形状がＵ字状を呈するリング形状に形成され、イヤーマフ本体（１０）に装着した時にクリップ部材（３０）のクリップ主体（３０１）とクリップ摘み部（３０２）が当該保温布地から露出していることを特徴とする請求項１に記載のイヤーマフ装置。
【請求項１０】
保温布地（４０）は、リング形状の中心に向って開口する縁部が、表側開口縁（４１）と裏側開口縁（４２）とを有し、該表側開口縁にゴム環（４３）を縫着し、該ゴム環を縫着した上記表側開口縁をイヤーマフ本体（１０）に固定したキャップ部材（２０）に装着し当該保温布地の上記表側開口縁からクリップ部材（３０）のクリップ摘み部（３０２）を突出し、上記裏側開口縁からクリップ部材（３０）のクリップ主体（３０１）を突出したことを特徴とする請求項９に記載のイヤーマフ装置。
【発明の詳細な説明】
【技術分野】
【０００１】
本発明は、イヤーマフ装置に関しており、従来構造のイヤーマフから耳あて部を連結していたアームを除去し、耳あて部を単独で耳に装着できるようにしたアームレス構造のイヤーマフ装置に関するものである。
【背景技術】
【０００２】
従来から知られているイヤーマフは、湾曲形成されたアーム（ヘッドバンド）の両端に耳あて部を設けたものであり、また、アームは、全体の長さを調整可能にして使用者の頭の形状に合わせられるようにしているが、耳あて部の保持力が一定であったことなどが原因で、全ての使用者が満足するフィット感をもって使用することができないといった問題があった。特に近年は、アーム部分も保温布地で被覆したものが好まれているが、この場合はアームの長さ調整が容易でないといった問題が残っていた。
【０００３】
従来構造のイヤーマフからアームを除去したアームレスイヤーマフが特許文献１に開示されている。特許文献１に記載されたイヤーマフは、耳覆い（１）の外観を構成する覆い布（１１）と、前記覆い布内に設けられ覆い布の形を整える枠体（２）と、前記枠体の覆い布と反対側に設けられたクッション材（２４）と、枠体に設けられた回転軸穴（２２）に挿入された差込軸棒（２３）に取り付けられたバネ（コイルバネ２３１）によって挟持力を持たせることによりクリップのような挟持作用をする挟持片（２５）を設けたものであり、挟持片により耳を挟み装着する。覆い布の挟持片と対応する位置に、内側に開口を有するポケット部（１３）を設け、そのポケット部に挟持片の挟持部（２５１）を嵌入している。挟持片の挟持部の挟持する側の面と挟持片を挿入するポケット部の内側面との間にクッション材を設けている。挟持片に穴（２５３）を設け、その穴に連結紐（２６）を繋げている。枠体の中央に網状の部分（２８）を設けている。バネが、枠体と挟持片の接合部の内側に設けられた板バネ（５３１）であり、前記板バネの両腕部が、枠体と挟持片にそれぞれ両腕部と対応する位置に形成された係止用凹部（５３，５５４）に突き差して取り付ける。
【０００４】
特許文献１に記載されたイヤーマフは、従来構造のイヤーマフからアームを除去したものであって、明細書には、耳覆いを単独で耳に装着できるので、外れにくく防寒に優れているだけでなく、使用しない時にコンパクトに収納できると記載されているが、耳を挟持する挟持部（２５１）に保持力を付与するコイルバネ（２３１）の弾力が一定なので、耳の厚い人に対しては保持力が強くなり、逆に耳の薄い人に対しては保持力が弱くなってしまうので、全ての人にとって心地よく装着できるものではなかった。
【０００５】
【特許文献１】特開２００３−１１１７９０号公開特許公報
【発明の開示】
【発明が解決しようとする課題】
【０００６】
本発明は、耳あて部を単独で耳に装着できるようにしたものであって、耳を挟む挟持力の強さを調節できるようにしたことにより、装着時のフィット感に優れたアームレス構造のイヤーマフ装置を提供することを課題としている。
【課題を解決するための手段】
【０００７】
解決手段の第１は、椀型形状に形成されたイヤーマフ本体と、該イヤーマフ本体に一対で設けられたクリップ部材と、上記イヤーマフ本体の外周部を被覆する保温布地とからなり、上記クリップ部材は、クリップ主体とクリップ摘み部を有しており、当該クリップ部材は、自己のクリップ主体とクリップ摘み部との間に相手方のクリップ主体が位置する関係で組立てられ、該クリップ摘み部が互いに遠ざかると共に該クリップ主体が互いに近づく方向に弾性力によって付勢されていることである。
解決手段の第２は、解決手段の第１において、クリップ部材が、断面形状がＬ字形を呈しており、立上部分をクリップ主体に形成し、水平部分をスライド部に形成して該スライド部の先端をクリップ摘み部に形成したものであって、該スライド部は、クリップ主体の幅の半分の幅となる切欠きを形成し、当該切欠きを互いに摺動自在に接合して自己のクリップ主体とクリップ摘み部との間に相手方のクリップ主体を位置させたことである。
解決手段の第３は、解決手段の第２において、クリップ部材が、スライド部とクリップ摘み部との境界部分に係合段差を設け、該各係合段差によって形成される空間部分にコイルバネを装着したことである。
解決手段の第４は、解決手段の第２又は３において、クリップ部材が、スライド部とクリップ摘み部との境界部に係合突部が設けられ、該各係合突部の外側に調整リングが嵌合されており、該調整リングのリング内側には高さが異なる複数の調整突起を形成し、上記調整リングを回動して上記係合突部と係合する調整突起の高さを変更することによって上記クリップ部材の隙間を調整することである。
解決手段の第５は、解決手段の第４において、調整リングが、調整レバーを設けたことである。
解決手段の第６は、解決手段の第１から５のいずれかにおいて、クリップ部材が、クリップ主体をイヤーマフ本体の底部に設けた本体窓孔から該イヤーマフ本体内に挿入し、クリップ摘み部を該イヤーマフ本体の外へ突出し、当該イヤーマフ本体の外に設けられた部分をキャップ部材で固定されていることである。
解決手段の第７は、解決手段の第６において、キャップ部材が、キャップ縁壁にクリップ部材のクリップ摘み部が突出する開放切欠きを設け、該開放切欠きの間に調整リングの調整レバーが突出するレバー突出窪みを設け、該開放切欠きからクリップ主体の上記クリップ摘み部を突出し、該レバー突出窪から上記調整レバーを突出してイヤーマフ本体に固定したことである。
解決手段の第８は、解決手段の第１から７のいずれかにおいて、クリップ部材が、クリップ主体の先端の対向する面にクッション材が設けられていることである。
解決手段の第９は、解決手段の第１において、保温布地が、断面形状がＵ字状を呈するリング形状に形成され、イヤーマフ本体に装着した時にクリップ部材のクリップ主体とクリップ摘み部が当該保温布地から露出していることである。
解決手段の第１０は、解決手段の第９において、保温布地が、リング形状の中心に向って開口する縁部が、表側開口縁と裏側開口縁とを有し、該表側開口縁にゴム環を縫着し、該ゴム環を縫着した上記表側開口縁をイヤーマフ本体に固定したキャップ部材に装着し当該保温布地の上記表側開口縁からクリップ部材のクリップ摘み部を突出し、上記裏側開口縁からクリップ部材のクリップ主体を突出したことである。
【発明の効果】
【０００８】
本発明は、外周部を保温布地で被覆したイヤーマフ本体にクリップ部材が一対で設けられたものであって、クリップ部材は、クリップ主体とクリップ摘み部を有しており、該クリップ部材は、自己のクリップ主体とクリップ摘み部との間に相手方のクリップ主体が位置する関係で組立てられており、さらに、クリップ摘み部は互いに遠ざかり、クリップ主体は互いに近づく方向に弾性力によって付勢されているので、イヤーマフを単独で耳へ装着できること及び耳への装着が簡単であること、また、耳を挟着するクリップ部材の挟持力を調整可能にしたものであるから、耳の厚みに対応してクリップ部材の隙間を調整して挟持力を変更できるので、全ての人に心地よいフィット感で装着できることの効果を有している。
【発明を実施するための最良の形態】
【０００９】
図１はイヤーマフ装置の構成部品を示す斜視図、図２はキャップ部材の表面部分を除去したイヤーマフ全体を示す正面図、図３は同背面図、図４は図２の断面図であり、（ａ）はＡ−Ａ線の断面図、（ｂ）はＢ−Ｂ線の断面図、図５はクリップ部材を示し、（ａ）はクリップ部材の挟持力を最大にした時の側面及び平面図、（ｂ）はクリップ部材の挟持力を最小にした時の側面及び平面図、図６は保温布材を示す断面図、図７はイヤーマフを人に装着した状態を示す斜視図、図８は同断面図である。
【００１０】
本発明のイヤーマフ１は、椀型形状に形成されたイヤーマフ本体１０と、イヤーマフ本体１０の底部に設けたキャップ部材２０と、イヤーマフ本体１０及びキャップ部材２０に設けられた一対のクリップ部材３０と、イヤーマフ本体１０の外周部を被覆する保温布材４０から構成されているものである。また、クリップ部材３０は、クリップ主体３０１とクリップ摘み部３０２が一体に形成されており、これらはコイルバネ３０３の弾力によりクリップ主体３０１の部分が互いに近づく方向に付勢されているものである。なお、クリップ主体３０１は、イヤーマフ本体１０の正面開口部に露出して設けられており、一方、クリップ摘み部３０２は、イヤーマフ本体１０の裏側となるキャップ部２０の外側から突出して設けられており、クリップ摘み部３０２を押込む操作によってクリップ主体３０１の先端を開閉するものである。
【００１１】
イヤーマフ１は、クリップ摘み部３０２をコイルバネ３０３に抗して押込んでクリップ主体３０１の先端を開き、該クリップ主体３０１の先端対向部に設けたクッション材３０４を耳５０に挟んで装着するものである（図８を参照）。
【００１２】
イヤーマフ本体１０は、全体の形状が椀型形状を呈しており、本体底板１０１にクリップ部材３０を挿入する本体窓孔１０２を形成し、本体底板１０１に椀の糸底に相当する本体リング１０３を形成したものである。また、イヤーマフ本体１０の外縁形状は、図３（ａ）に示すように、側面視の形状を上方が低く下方が高くなる傾向の斜面１０４に形成している。これは、一般的な人の顔が正面から見たとき頬から顎に向って細くなる傾向にあるので、イヤーマフの装着時に好ましいフィット感が得られるようにしたものである。
【００１３】
クリップ部材３０は、断面形状がＬ字形を呈しており、立上部分をクリップ主体３０１に形成し、水平部分をスライド部３０５に形成し、該スライド部３０５の先端をクリップ摘み部３０２に形成したものであって、図１を参照して、スライド部３０５は、クリップ主体３０１とクリップ摘み部３０２との間の幅を、クリップ主体３０１の幅の半分の幅となる切欠き３０６に形成したものである。また、クリップ部材３０は、クリップ主体３０１を同じ方向に向けて立ち上げ、スライド部３０５の切欠き３０６を互いに摺動自在に接合したものであって、各クリップ部材３０は、自己のクリップ主体３０１とクリップ摘み部３０２との間に相手方のクリップ主体３０１が位置する関係で組立てられている。
【００１４】
さらに又、クリップ主体３０１は、スライド部３０５の下面がクリップ摘み部３０２との境界部分に係合段差３０７が設けられ、各係合段差３０７によって形成された空間部分にコイルバネ３０３が装着されている。クリップ部材３０は、上記したように、自己のクリップ主体３０１とクリップ摘み部３０２との間に相手方のクリップ主体３０１が位置する関係で組立てられているので、コイルバネ３０３の弾力により、クリップ摘み部３０２が互いに遠ざかる方向に付勢され、逆にクリップ主体３０１が互いに近づく方向に付勢されている。
【００１５】
一対で設けられたクリップ主体３０１は、先端の対向する面にクッション材３０４が設けられている。なお、クッション材３０４は、発泡ゴム等の弾性資材である。
【００１６】
クリップ部材３０のスライド部３０５には、クリップ主体３０１が耳を挟む挟持力の強さを調整する機構が設けられている。スライド部３０５とクリップ摘み部３０２との境界部近傍の下面に係合突部３０８が設けられており、各係合突部３０８の外側に調整リング３２０が摺動自在に接合して設けられている。また、調整リング３２０の内側には、係合突部３０８と係合する複数個の調整突起３２１が設けられており、実施形態では、高さを異にする３個の調整突起３２１が設けられている。調整突起３２１は、高さが低くなるとコイルバネ３０３の圧縮力が弱まってクリップ主体３０１の挟持部が閉じ、図５（ａ）に示すように、調整突起３２１ａではクッション材３０４の隙間「イ」が狭くなる。また、逆に調整突起３２１ｃの高さが高くなるとコイルバネ３０３を圧縮力が強まってクリップ主体３０１の挟持部が開き、図５（ｂ）に示すように、クッション材３０４の隙間「ロ」が広くなる。調整突起３２１ｂの場合は、コイルバネ３０３は中間の圧縮力となり、クリップ主体３０１の挟持部の隙間も中位の広さになる。
【００１７】
イヤーマフの装着前におけるクリップ主体３０１のクッション材３０４の隙間「イ」が狭い場合（図５ａ）は挟持力が強く、逆に隙間「ロ」が広い場合（図５ｂ）は挟持力が弱くなる。また、調整リング３２０の外周部に調整レバー３２２を設け、該調整レバー３２２には、「＋，０，−」の目盛を表記した調整目盛板３２３が設けられている。なお、調整レバー３２２の突出方向は、クリップ摘み部３０２の長手方向に対し直交する方向が、３個の調整突起３２１のうち中間の挟持力が得られる「０」位置を示すように設定するのが望ましい。
【００１８】
図１を参照して、キャップ部材２０は、正面形状が円形であって、周縁部にイヤーマフ本体１０の本体リング１０３の外側に嵌合させるキャップ縁壁２０１が設けられており、該キャップ縁壁２０１は対向する位置に、クリップ部材３０のクリップ摘み部３０２が突出する開放切欠き２０２を形成している。また、開放切欠き２０２と直交する方向のキャップ縁壁２０１に、調整リング３２０の調整レバー３２２を突出させるレバー突出窪み２０３を形成している。この他、キャップ部材２０をイヤーマフ本体１０に固定するため、キャップ部材２０の底部内側に一対のタップ穴２０４を設けており、キャップ部材２０をイヤーマフ本体１０に接合した時、イヤーマフ本体１０の本体底板１０１に形成したネジ挿入孔１０４からビス１０５をねじ込んで両者を固定するものである。
【００１９】
図６において、保温布材４０は、断面形状がＵ字状を呈するリング形状に形成されたものであり、リング形状の中心部に向って開口する縁部が、表側開口縁４１と裏側開口縁４２とを有し、表側開口縁４１にはリング状のゴム環４３を縫着し、裏側開口縁４２には縁取りテープ４４を縫着したものである。なお、実施形態において、保温布材４０は、表側開口縁４１を形成する表側布地４５と裏側開口縁４２を形成する裏側布地４６の縁部を縫着したものであり、該縫着部４７がリング形状の内側に位置するように形成されている。また、保温布材４０は、保温性能を有する布地により形成するものであり、例えば、素材が起毛布地の場合は、表側布地４５と裏側布地４６は、起毛部分を内側に重合して縫着（４７）し、縫着後に裏返して起毛面がリング形状の外側に現れるようにする。
【００２０】
次に、イヤーマフを組立てる手順を説明する。まず、イヤーマフ本体１０の本体窓孔１０２から一対のクリップ部材３０のクリップ主体３０１を挿入し、イヤーマフ本体１０の椀内でクッション材３０４を互いに向かい合わせ、かつ、クリップ摘み部３０２を椀の外側に突出させて収容する。すなわち、一対のクリップ部材３０は、スライド部３０５の切欠き３０６を互いに摺動自在に接合し、各クリップ部材３０は、自己のクリップ主体３０１とクリップ摘み部３０２との間に相手方のクリップ主体３０１が位置する関係で組立てられる。
【００２１】
クリップ部材３０の下面には、クリップ摘み部３０２とスライド部３０５の境界部分に形成された空間にコイルバネ３０３を装着し、該コイルバネ３０３の弾力によってクリップ摘み部３０２が互いに遠ざかり、同時にクリップ主体３０１が互いに近づく方向に付勢される。また、各スライド部３０５の下面に設けた係合突部３０８には、調整リング３２０をリングの内側に設けた調整突起３２１を係合状態に嵌合し、該調整リング３２０は、図２に示すように、調整レバー３２２がクリップ摘み部３０２の長手方向に直交する方向に向けて嵌合する。
【００２２】
上記のように組立てられたイヤーマフ本体１０の本体リング１０３に、キャップ部材２０を、開放切欠き２０２からクリップ摘み部３０２を突出させ、レバー突出窪み２０３から調整レバー３２２を突出させた態様で接合し、底部に設けたタップ穴２０４にイヤーマフ本体１０のネジ挿入孔１０４からビス１０５をねじ込んで両者を固定する。
【００２３】
イヤーマフ本体１０とキャップ部材２０が連結されたら、イヤーマフ本体１０及びキャップ部材２０の外側に保温布地４０を被覆する。保温布地４０は、表側開口縁４１をキャップ部材２０に臨ませ、裏側開口縁４２をクリップ部材３０に臨ませて被せる。その際、表側開口縁４１のゴム環４３をキャップ部材２０の外壁部に装着し、図７に示すように、クリップ摘み部３０２を保温布地４０から露出させる。なお、保温布地４０の裏側開口縁４２からは、クリップ部材３０のクリップ主体３０１がクッション材３０４を伴って露出させている。
【００２４】
クリップ部材３０の挟持部の隙間は、図２において、調整リング３２０の調整突起３２１ｂが係合突部３０８と係合している時が中間の広さであり、挟持力も中位の強さを発揮する。この時、調整レバー３２２は、クリップ摘み部３０２の長手方向に対し直交する方向に向いている。クリップ部材３０の挟持部の隙間を狭める時は、調整レバー３２２を図２及び図５において時計方向に回動し、係合突部３０８に対し高さが低い調整突起３２１ａを係合すると、コイルバネ３０３の圧縮力を受けるクリップ摘み部３０２が広がり、これに伴ってクリップ主体３０１の隙間は狭められることになり、クリップ部材３０の挟持力が強まることになる。また、調整レバー３２２を反時計方向に回動した時は、逆にクリップ主体３０１の隙間が広がりクリップ部材３０の挟持力は弱まる。
【００２５】
クリップ部材３０の挟持力を好みの強さに調整した後、クリップ摘み部３０２をコイルバネ３０３に抗して押込むと、クリップ主体３０１は互いに離れる方向に移動してクッション材３０４が開く。そこで、図８に示すように、２つにクッション材３０４によって耳５０を挟み、保温布地４０を耳及び耳周辺の顔に接合する。
【００２６】
実施形態において、イヤーマフ本体１０は、正面形状が円形であるが、イヤーマフの形状を耳の形状に近づけるために、正面形状を楕円形に形成することができる。
【図面の簡単な説明】
【００２７】
【図１】イヤーマフ装置の構成部品を示す斜視図。
【図２】キャップ部材の表面部分を除去したイヤーマフ全体を示す正面図。
【図３】イヤーマフ全体を示す背面図。
【図４】図２の断面図であり、（ａ）はＡ−Ａ線の断面図、（ｂ）はＢ−Ｂ線の断面図。
【図５】クリップ部材を示しており、（ａ）はクリップ部材の保持力を最大にした時の側面及び平面図、（ｂ）はクリップ部材の保持力を最小にした時の側面及び平面図。
【図６】保温布材を示す断面図。
【図７】イヤーマフを人に装着した状態を示す斜視図。
【図８】イヤーマフを人に装着した状態を示す断面図。
【符号の説明】
【００２８】
１  イヤーマフ
１０  イヤーマフ本体
１０１  本体底板
１０２  本体窓孔
１０３  本体リング
１０４  斜面
２０  キャップ部材
３０  クリップ部材
３０１  クリップ主体
３０２  クリップ摘み部
３０３  コイルバネ
３０４  クッション材
３０５  スライド部
３０６  切欠き
３０７  係合段差
３０８  係合突部
３２０  調整リング
３２１  調整突起
３２２  調整レバー
３２３  調整目盛板
４０  保温布材
５０  耳
【図１】
2005329042.tif 000003
【図２】
2005329042.tif 000004
【図３】
2005329042.tif 000005
【図４】
2005329042.tif 000006
【図５】
2005329042.tif 000007
【図６】
2005329042.tif 000008
【図７】
2005329042.tif 000009
【図８】
2005329042.tif 000010